(57)【要約】      （修正有）【課題】熱色性物質層を備えた壁紙(Wall Paper)及びその製造方法に関する。周辺または人体の温度の変化によって色相が変化し、視覚的な退屈さを無くすだけでなく、壁紙に形成された文様や字などの色変化を壁紙使用者が季節や時間または温度によって多様に変化させること。【解決手段】壁紙基板を形成する段階；上記壁紙基板上に少なくとも一つ以上の面状発熱体を形成する段階；上記壁紙基板または上記面状発熱体上に少なくとも一つ以上の熱色性物質層を形成する段階；上記壁紙基板上に上記熱色性物質層と上記面状発熱体が充分に覆わせるように少なくとも一つ以上の保護層を形成する段階；及び上記壁紙基板上に上記面状発熱体に電源を供給して温度を制御する電源供給及び制御手段を形成する段階；を含む壁紙の製造方法および該壁紙。【選択図】 図５Ｅ
2007277790.tif 000002
【特許請求の範囲】
【請求項１】
ウォールペーパー(Wall Paper)製造方法において、
ウォールペーパー基板を形成する段階；
上記ウォールペーパー基板上に熱色性(Thermochromic  material)物質層を形成する段階；及び
上記熱色性物質層上に保護層を形成する段階；を含む熱色性物質層を備えたウォールペーパーの製造方法。
【請求項２】
ウォールペーパー(Wall Paper)製造方法において、
ウォールペーパー(Wall Paper)基板を形成する段階；
上記ウォールペーパー基板上に少なくとも一つ以上の面状発熱体を形成する段階；
上記ウォールペーパー基板または上記面状発熱体上に少なくとも一つ以上の熱色性物質層を形成する段階；
上記ウォールペーパー基板上に上記熱色性物質層と上記面状発熱体が充分に覆わせるように少なくとも一つ以上の保護層を形成する段階；及び
上記ウォールペーパー基板上に上記面状発熱体に電源を供給して温度を制御する電源供給及び制御手段を形成する段階；を含む熱色性物質層を備えたウォールペーパーの製造方法。
【請求項３】
第1項または第2項において、
上記熱色性物質層は液晶層、コレステリック液晶層、光硬化性高分子物質層、液晶高分子物質層の中、いずれの一つを用いることを特徴とする熱色性物質層を備えたウォールペーパーの製造方法。
【請求項４】
第1項または第2項において、
上記熱色性物質層は液晶物質、コレステリック液晶物質、光硬化性高分子物質、液晶高分子物質の中、少なくとも一つ以上の物質を含むことを特徴とする熱色性物質層を備えたウォールペーパーの製造方法。
【請求項５】
第1項または第2項において、上記ウォールペーパーの製造方法は：
上記ウォールペーパー基板に周辺または人体の温度の変化によって色が変化する少なくとも一つ以上のインジケーター部を形成する段階；を更に含むことを特徴とする熱色性物質層を備えたウォールペーパーの製造方法。
【請求項６】
第5項において、上記ウォールペーパーの製造方法は：
上記インジケーター部に周辺または人体の温度の変化によって複数個の色相に変わるカラーインジケーター部を形成する段階；及び
上記インジケーター部に周辺または人体の温度の変化によって情報を表示する説明インジケーター部を形成する段階；を更に含むことを特徴とする熱色性物質層を備えたウォールペーパーの製造方法。
【請求項７】
第1項または第2項において、
上記ウォールペーパー基板は韓紙を用いたことを特徴とする熱色性物質層を備えたウォールペーパーの製造方法。
【請求項８】
ウォールペーパー(Wall Paper)において、
ウォールペーパー基板；
上記ウォールペーパー基板上に形成された熱色性物質層；及び
上記熱色性物質層上に形成された保護層；を含む熱色性物質層を備えたウォールペーパー。
【請求項９】
ウォールペーパー(Wall Paper)において、
ウォールペーパー基板；
上記ウォールペーパー基板上に形成された少なくとも一つ以上の面状発熱体；
上記ウォールペーパー基板または上記面状発熱体上に形成された少なくとも一つ以上の熱色性物質層；
上記ウォールペーパー基板上に上記熱色性物質層と上記面状発熱体が充分に覆わせるように形成された少なくとも一つ以上の保護層；及び
上記ウォールペーパー基板上に形成され、上記面状発熱体に電源を供給し、温度を制御する電源供給及び制御手段；を含む熱色性物質層を備えたウォールペーパー。
【請求項１０】
第8項または第9項において、
上記熱色性物質層は液晶層、コレステリック液晶層、光硬化性高分子物質層、液晶高分子物質層の中、いずれの一つであることを特徴とする熱色性物質層を備えたウォールペーパー。
【請求項１１】
第8項または第9項において、
上記熱色性物質層は液晶物質、コレステリック液晶物質、光硬化性高分子物質、液晶高分子物質の中、少なくとも一つ以上の物質を含むことを特徴とする熱色性物質層を備えたウォールペーパー。
【請求項１２】
第8項または第9項において、上記ウォールペーパーは：
上記ウォールペーパー基板に周辺または人体の温度の変化によって色が変化する少なくとも一つ以上のインジケーター部；を更に含むことを特徴とする熱色性物質層を備えたウォールペーパー。
【請求項１３】
第12項において、上記ウォールペーパーは：
上記インジケーター部に周辺または人体の温度の変化によって複数個の色相に変わるカラーインジケーター部；及び
上記インジケーター部に周辺または人体の温度の変化によって情報を表示する説明インジケーター部；を更に含むことを特徴とする熱色性物質層を備えたウォールペーパー。
【請求項１４】
第8項または第9項において、
上記ウォールペーパー基板は韓紙を用いたことを特徴とする熱色性物質層を備えたウォールペーパー。
【発明の詳細な説明】
【技術分野】
【０００１】
本発明はウォールペーパー(Wall Paper：または'壁紙'とも言う)及びその製造方法に関するもので、特に周辺または人体の温度の変化によって色相が変化し、周辺の温度または人体の健康状態に対する情報を提供し、視覚的な退屈さを無くすだけでなく、ウォールペーパーに形成された文様や字などの色変化をウォールペーパー使用者が季節や時間または温度によって多様に変化させることができる熱色性物質(Thermochromic  Material)層を備えたウォールペーパー及びその製造方法に関するものである。
【背景技術】
【０００２】
一般的に、ウォールペーパー(Wall Paper)は、初期建築物のコンクリート面を被覆するに用いられるものであって、住居者と生活用品等がコンクリート面に直接接触されることを防止する。
【０００３】
上記ウォールペーパーは多くの形態の図形や絵などが印刷されたウォールペーパー基板で構成されている。このような従来のウォールペーパーは原紙表面に図形や絵などを表現して室内の美観を美麗にまたは品質の高級化を成すことはできるが、表現された図形や絵がいつも等しい色相を持つことによって、使用者がすぐ退屈さを感じて壁紙を季節によって新たに貼り替えて使うようになって家計負担を加重させる問題点があった。
【０００４】
このような問題点を解決するため、大韓民国特許登録番号第0355105号には、原紙の表面に樹脂がコーティングされ、この樹脂に多様な文様に表現されて成る壁紙において、上記樹脂の表面に液状の顔料で幹と葉又、花びらとおしべで成る、花文様を積層形成させるが、葉と花びらに温度によって色相の変わる顔料が含有されるようにして室内温度の上昇に従って、花文様が色相変化を起こすことができる壁紙が開示されている。
【発明の開示】
【発明が解決しようとする課題】
【０００５】
このような技術的思想は室内壁面に多様に表現された壁紙の図形や絵に温度によって色相が変わる顔料を含有させて製造することで、室内温度が変わるに従って、顔料が含有された図形や絵部分が色変化を起こすようにしている。このような機能を有する従来の壁紙は室内温度によって室内の美観を多様に変化させることができ、使用者が室内温度を容易に認知することができる長所がある。
【０００６】
しかし、上記のような従来の壁紙は周辺の温度によって、色相が変わる顔料を含んでいるが、実際に温度の変化が少ない室内であまり敏感に反応しない短所があった。よって、従来の壁紙は室内の温度が大きく変わらない以上、いつも等しい色相を持っているので、消費者立場では高く壁紙を購入したが既存の壁紙と何の差を感じることができなかった。
【０００７】
また、上記のような従来の壁紙は周辺の温度によってのみ受動的に色が変化されるようになっていて、ウォールペーパー持ち主の意図どおり、壁紙の色を能動的に制御することができない問題点があった。
【０００８】
次は、ウォールペーパーに係わる内容ではないが、温度の変化によって印刷柄や模様が変化する技術に対して説明する事にする。
【０００９】
先に、大韓民国特許登録番号第0461659号には、多層に成るPVC底材において、有機系の3〜10?粒度のマイクロカプセルタイプのサーモクロミック顔料0.1〜5重量部、ポリビニールアルコール樹脂10〜20重量部及び水80〜85重量部を配合して製造されるインクを用いて、印刷層上に願う印刷柄をグラビア印刷または転写印刷するようにするPVC底材が開示されている。上記PVC底材は印刷柄の付与の際、サーモクロミック顔料が適用されたインクを用いるので、温度の変化によって印刷柄が現われるか又は消滅する独特の外観效果を現わすことになる。
【００１０】
しかし、上記のような従来のPVC底材でも周辺の温度によってのみ受動的に色が変化されるようになっていて、使用者の意図どおり色を能動的に制御することができなかった。
【００１１】
そして、大韓民国実用新案登録番号第0387414号には、透明プラスチックペレット(PELET)に変温サーモクロミック(THERMOCHROMIC)ミクロンパウダーをマストベッチ(MASTERBATCH)して変温プラスチックペレット(PELET)を製造した後、押出成形装置のホッパーに注いで変温プラスチックシートを得て、上記変温プラスチックシートの上面にナノ?フォトクロミックカプセルレーション染料と色相染料が含有されたコーティング液をコーティングして日の光(紫外線)に露出の際は勿論、温度変化によってもシートの色相が多様に変化するようにする光温変色クロミックプラスチックシートが開示されている。上記光温変色クロミックプラスチックシートは透明及び半透明カラープラスチックシートが日の光(紫外線)に露出されると、特定のカラーに変わり、日の光が遮断されると元々のカラーに復帰されることは勿論、同時に温度変化によっても特定のカラーに変色される。
【００１２】
しかし、上記のような従来の光温変色クロミックプラスチックシートでも前記のように、周辺の温度によってのみ受動的に色が変化されるようになっていて、使用者の意図どおり色を能動的に制御することはできなかった。
【課題を解決するための手段】
【００１３】
本発明は上記の問題点を解決するための案出されたものであって、本発明の目的は周辺または人体の温度の変化にしたがって色相が変化するウォールペーパー(Wall Paper)を提供して、周辺の温度または人体の健康状態に対する情報を提供するだけでなく、視覚的な退屈さを無くすことができる熱色性物質層を備えたウォールペーパー及びその製造方法を提供するのにある。
【００１４】
また、本発明の他の目的は温度によって色が異なるように変化する熱色性物質層(例えば、液晶層)を含んだウォールペーパーに上記熱色性物質層を能動的に制御することができる面状発熱体を内蔵した熱色性物質層を備えたウォールペーパー及びその製造方法を提供するにある。
【００１５】
上記目的を果たすための本発明による熱色性物質層を備えたウォールペーパー製造方法は、ウォールペーパー基板を形成する段階；上記ウォールペーパー基板上に熱色性(Thermochromic material)物質層を形成する段階；及び上記熱色性物質層上に保護層を形成する段階；を含む。
【００１６】
上記目的を果たすための本発明による他の熱色性物質層を備えたウォールペーパー製造方法は、ウォールペーパー(Wall Paper)基板を形成する段階；上記ウォールペーパー基板上に少なくとも一つ以上の面状発熱体を形成する段階；上記ウォールペーパー基板または上記面状発熱体上に少なくとも一つ以上の熱色性物質層を形成する段階；上記ウォールペーパー基板上に上記熱色性物質層と上記面状発熱体が充分に覆わせるように少なくとも一つ以上の保護層を形成する段階；及び上記ウォールペーパー基板上に上記面状発熱体で電源を供給し、温度を制御する電源供給及び制御手段を形成する段階；を含む。
【００１７】
上記熱色性物質層は液晶層、コレステリック液晶層、光硬化性高分子物質層、液晶高分子物質層の中、いずれの一つを用いるのが望ましい。
【００１８】
上記熱色性物質層は液晶物質、コレステリック液晶物質、光硬化性高分子物質、液晶高分子物質の中、少なくとも一つ以上の物質を含むのが望ましい。
【００１９】
上記ウォールペーパーの製造方法は、上記ウォールペーパー基板に周辺または人体の温度の変化によって色が変化する少なくとも一つ以上のインジケーター部を形成する段階；を更に含むのが望ましい。
【００２０】
上記ウォールペーパーの製造方法は上記インジケーター部に周辺または人体の温度の変化によって複数個の色相に変わるカラーインジケーター部を形成する段階；及び上記インジケーター部に周辺または人体の温度の変化によって情報を表示する説明インジケーター部を形成する段階；を更に含むのが望ましい。
【００２１】
上記ウォールペーパー基板は韓紙を使うのが望ましい。
【００２２】
上記目的を果たすための本発明による熱色性物質層を備えたウォールペーパーは、ウォールペーパー基板；上記ウォールペーパー基板上に形成された熱色性物質層；及び上記熱色性物質層上に形成された保護層；を含む。
【００２３】
上記目的を果たすための本発明による他の熱色性物質層を備えたウォールペーパーは、ウォールペーパー基板；上記ウォールペーパー基板上に形成された少なくとも一つ以上の面状発熱体；上記ウォールペーパー基板または上記面状発熱体上に形成された少なくとも一つ以上の熱色性物質層；上記ウォールペーパー基板上に上記熱色性物質層と上記面状発熱体が充分に覆わせるように形成された少なくとも一つ以上の保護層；及び上記ウォールペーパー基板上に形成され、上記面状発熱体に電源を供給し、温度を制御する電源供給及び制御手段；を含む。
【００２４】
上記熱色性物質層は液晶層、コレステリック液晶層、光硬化性高分子物質層、液晶高分子物質層の中、いずれの一つであることが望ましい。
【００２５】
上記熱色性物質層は液晶物質、コレステリック液晶物質、光硬化性高分子物質、液晶高分子物質の中、少なくとも一つ以上の物質を含むのが望ましい。
【００２６】
上記ウォールペーパーは上記ウォールペーパー基板に周辺または人体の温度の変化によって色が変化する少なくとも一つ以上のインジケーター部；を更に含むのが望ましい。
【００２７】
上記ウォールペーパーは上記インジケーター部に周辺または人体の温度の変化によって複数個の色相に変わるカラーインジケーター部；及び上記インジケーター部に周辺または人体の温度の変化によって情報を表示する説明インジケーター部；を更に含むのが望ましい。
【００２８】
上記ウォールペーパー基板は韓紙を使うのが望ましい。
【発明の効果】
【００２９】
上述したように、本発明による熱色性物質層を備えたウォールペーパー及びその製造方法によると、周辺または人体の温度の変化にしたがって色相が変化するウォールペーパーを提供して周辺の温度または人体の健康状態に対する情報を提供するだけでなく、視覚的な退屈さを無くすことができる長所がある。
【００３０】
また、ウォールペーパーに内蔵されている面状発熱体を制御することで、温度によって色が異るように変化する熱色性物質層(液晶層)を能動的に制御することができる。よって、ウォールペーパーに形成された文様や字などの色変化をウォールペーパー使用者が季節や時間または温度によって多様に変化させることができるので、室内の美観を多様に変化させることができる。
【発明を実施するための最良の形態】
【００３１】
以下、添付された図面を参照して本発明の実施例に対してより詳しく説明する。
【００３２】
［第1実施例］
図1A乃至図1Cは本発明の望ましい第1実施例に係わる熱色性物質層を備えたウォールペーパーの製造工程断面図である。
【００３３】
先に、本発明の第1実施例に係わるウォールペーパー(10)は、図1Cに示したように、ウォールペーパー基板(11)と、上記ウォールペーパー基板(11)上に形成された熱色性物質層(12)と、上記熱色性物質層(12)上に形成された保護層(13)を含んで構成する。
【００３４】
そうすると、上記構成を有するウォールペーパーの製造方法に対して図1A乃至図1Cを参照して説明する。
【００３５】
図1Aに示したように、ウォールペーパー基板(11)を形成する。
【００３６】
次に、図1Bに示したように、上記ウォールペーパー基板(11)上に熱色性物質層(12)を形成する。
【００３７】
次に、図1Cに示したように、上記ウォールペーパー基板(11)上に上記熱色性物質層(12)が充分に覆わせるように保護層(13)を形成する。
【００３８】
この際、上記熱色性物質層(12)は液晶層、コレステリック(Cholesteric)液晶層、光硬化性高分子物質層、液晶高分子物質層の中、一つを用いるのが望ましい。また、上記熱色性物質層(12)は液晶物質、コレステリック液晶物質、光硬化性高分子物質、液晶高分子物質の中、少なくとも一つ以上を含んで構成することもできる。
【００３９】
［第2実施例］
図2は本発明の望ましい第2実施例に係わる熱色性物質層を備えたウォールペーパーの平面図であって、周辺の温度状態に対する情報を提供するウォールペーパーを示したものである。
【００４０】
本発明の第2実施例に係わるウォールペーパー(20)は図2に示したように、上記ウォールペーパー基板(21)上に熱色性物質層(22)が形成されていて、上記熱色性物質層(22)上に保護層(23)が形成されている。そして、上記ウォールペーパー基板(21)上には周辺の温度の変化によって熱変色する少なくとも一つ以上のインジケーター部(24)を含んでいる。上記インジケーター部(24)は周辺の温度の変化によって複数個の色相に変わる複数個のカラーインジケーター部(25a、26a、27a)と、周辺の温度の変化によって情報を表示する複数個の説明インジケーター部(25b、26b、27b)を含んでいる。この際、上記複数個のカラーインジケーター部(25a、26a、27a)及び上記複数個の説明インジケーター部(25b、26b、27b)は熱色性物質層(22)と等しい熱色性物質層で構成される。
【００４１】
ここで、上記熱色性物質層(22)は、第1実施例と同様に、液晶層、コレステリック液晶層、光硬化性高分子物質層、液晶高分子物質層の中、いずれの一つを用いるのが望ましい。また、上記熱色性物質層(22)は液晶物質、コレステリック液晶物質、光硬化性高分子物質、液晶高分子物質の中、少なくとも一つ以上を含んで構成することもできる。
【００４２】
上記熱色性物質層(22)は周辺の温度にしたがって、上記熱色性物質層(22)の分子配列構造が変化し、それに対応して選択反射する光の波長分布が変化して、使用者が見た時、色の変化が起きる。この場合に、使用者は、上記ウォールペーパー(21)上に形成された上記インジケーター部(24)を通じて周辺の温度に対する情報が分かる。すなわち、使用者は、上記カラーインジケーター部(25a、26a、27a)及び上記説明インジケーター部(25b、26b、27b)に表示された色及び説明を通じて、周辺の温度に対する情報が分かる。
【００４３】
したがって、本発明の第2実施例に係わるウォールペーパー(20)は上記熱色性物質層(22)と上記熱色性物質層からなる上記複数個のカラーインジケーター部(25a、26a、27a)及び上記複数個の説明インジケーター部(25b、26b、27b)によって、周辺の温度の変化によって情報を表示する機能を提供する。
【００４４】
［第3実施例］
図3は本発明の望ましい第3実施例に係わる熱色性物質層を備えたウォールペーパーの平面図であって、周辺または人体の温度状態に対する情報を提供するウォールペーパーを示したものである。
【００４５】
本発明の第3実施例に係わるウォールペーパー(30)は図3に示したように、上記ウォールペーパー基板(31)上に熱色性物質層(32)が形成されていて、上記熱色性物質層(32)上に保護層(33)が形成されている。そして、上記ウォールペーパー基板(31)上には周辺または人体の温度変化によって熱変色する少なくとも一つ以上のインジケーター部(24)を含んでいる。上記インジケーター部(24)は周辺または人体の温度の変化によって複数個の色相に変わる複数個のカラーインジケーター部(35a、36a、37a)と、周辺または人体の温度の変化によって情報を表示する複数個の説明インジケーター部(35b、36b、37b)を含んでいる。この際、上記複数個のカラーインジケーター部(35a、36a、37a)及び上記複数個の説明インジケーター部(35b、36b、37b)は上記熱色性物質層(32)と同一な熱色性物質層から構成される。
【００４６】
ここで、上記熱色性物質層(32)は、第1及び第2実施例と同様に、液晶層、コレステリック液晶層、光硬化性高分子物質層、液晶高分子物質層の中、いずれの一つを用いるのが望ましい。また、上記熱色性物質層は液晶物質、コレステリック液晶物質、光硬化性高分子物質、液晶高分子物質の中、少なくとも一つ以上を含んで構成することもできる。
【００４７】
上記熱色性物質層(32)に使用者が指先を接触した場合、体温によって上記熱色性物質層(32)の色が変化するようになる。この際、上記熱色性物質層(32)の色変化は人体の体温によって分子配列構造が変化し、光の波長分布が変化することで色の変化が起きる。この場合、使用者は、上記ウォールペーパー(31)上に形成された上記インジケーター部(34)を通じて人体の温度または健康状態に対する情報が分かる。すなわち、使用者は上記カラーインジケーター部(35a、36a、37a)及び上記説明インジケーター部(35b、36b、37b)に表示された色及び説明を通じて、人体の温度または健康状態に対する情報が分かる。
【００４８】
したがって、本発明の第3実施例に係わるウォールペーパー(30)は上記熱色性物質層(32)と上記熱色性物質層からなる上記複数個のカラーインジケーター部(35a、36a、37a)及び上記複数個の説明インジケーター部(35b、36b、37b)によって周辺または人体の温度の変化によって情報を表示する機能を提供する。
【００４９】
［第4実施例］
図4は本発明の望ましい第4実施例に係わる熱色性物質層を備えたウォールペーパーの平面図であって、周辺の温度にしたがって色が変わる任意の形状を有するウォールペーパーを示したものである。
【００５０】
本発明の第4実施例に係わるウォールペーパー(40)は図4に示したように、上記ウォールペーパー基板(41)上に任意の形状部(43)を構成した後、上記任意の形状部(43)に周辺または人体の温度の変化にしたがって熱色性物質層(42)を形成した後、上記熱色性物質層(42)上に保護層(図示しない)を形成する。
【００５１】
この際、上記熱色性物質層(42)は、第1乃至第3実施例と同様に、液晶層、コレステリック液晶層、光硬化性高分子物質層、液晶高分子物質層の中、いずれの一つを用いるのが望ましい。また、上記熱色性物質層は液晶物質、コレステリック液晶物質、光硬化性高分子物質、液晶高分子物質の中、少なくとも一つ以上を含んで構成することもできる。
【００５２】
このような方法で、本発明ではウォールペーパーにどんな形状や模様で具現が可能であり、周辺または人体の温度の変化にしたがって色相を変化させ、周辺の温度または人体の健康状態に対する情報を提供することができる。
【００５３】
［第5実施例］
図5A乃至図5Eは本発明の望ましい第5実施例に係わる熱色性物質層を備えたウォールペーパーの製造工程断面図であり、図6は図5Eの平面図である。
【００５４】
本発明の第5実施例に係わる熱色性物質層を備えたウォールペーパー(100)は図5eに図示したように、ウォールペーパー基板(110)と、上記基板(110)上に形成された少なくとも一つ以上の面状発熱体(112)と、上記基板(110)または面状発熱体(112)上に形成された、少なくとも一つ以上の熱色性物質層(114)と、上記基板(110)上に上記熱色性物質層(114)及び上記面状発熱体(112)が充分に覆わせるように形成された少なくとも一つ以上の保護層(116)と、上記基板(110)上に形成されて上記面状発熱体(112)に電源を供給し、温度などを制御する電源供給及び制御手段(118)を含んで構成する。
【００５５】
以下、上記構成を有する本発明の熱色性物質層を備えたウォールペーパー製造方法に対して図5A乃至図5Eを参照して説明する事にする。
【００５６】
先に、図5A及び図5Bに示したように、ウォールペーパー基板(110)を形成した後、上記基板(110)上に少なくとも一つ以上の面状発熱体(112)を形成する。
【００５７】
次に、図5Cに示したように、上記面状発熱体(112)上に少なくとも一つ以上の熱色性物質層(114)を形成する。この際、上記熱色性物質層(114)は図面には図示しないが、上記ウォールペーパー基板(110)上に形成することもできる。
【００５８】
次に、図5Dに示したように、上記ウォールペーパー基板(110)上に上記熱色性物質層(114)と上記面状発熱体(112)が充分に覆わせるように保護層(116)を形成する。
【００５９】
最後に、図5Eに図示したように、上記ウォールペーパー基板(110)上に、上記面状発熱体(112)に電源を供給し、温度などを制御する電源供給及び制御手段(118)を形成する。
【００６０】
ここで、上記面状発熱体(112)は上記電源供給及び制御手段(118)によって、熱を発生する発熱体であって、例えば電気抵抗を有するセラミックス抵抗体の発熱部位を介して電気エネルギーを熱エネルギーに変換させる機能をする。このような機能を有する上記面状発熱体(112)としては、金属薄板を用いたもの、発熱塗料(カーボンブラック)を用いたもの、炭素纎維を用いたものなどを全て含んで使うことができる。
【００６１】
そして、上記基板(110)と上記面状発熱体(112)との間に絶縁のための絶縁層(図示しない)を形成することもできる。
【００６２】
また、上記熱色性物質層(114)は、第1乃至第4実施例と同様に、液晶層、コレステリック液晶層、光硬化性高分子物質層、液晶高分子物質層の中、いずれの一つを用いるのが望ましい。また、上記熱色性物質層は液晶物質、コレステリック液晶物質、光硬化性高分子物質、液晶高分子物質の中、少なくとも一つ以上を含んで構成することもできる。
【００６３】
また、上記ウォールペーパー基板(110)は韓紙を使って製造することができる。
【００６４】
［第6実施例］
図7A及び図7Bは本発明の第6実施例に係わる熱色性物質層を備えたウォールペーパーの第1及び第2動作状態をそれぞれ示した動作状態図である。この際、図7Aは第1時間帯(例えば、昼時間帯)または第1温度状態におけるウォールペーパーの第1動作状態を示し、図7Bは第2時間帯(例えば、夜時間帯)または第2温度状態におけるウォールペーパーの第2動作状態を示す。
【００６５】
本発明の第6実施例に係わる熱色性物質層を備えたウォールペーパーは図7A及び図7Bに示したように、ウォールペーパー基板(110)と、上記ウォールペーパー基板(110)上に形成された第1乃至第4面状発熱体(112a乃至112d)と、上記面状発熱体(112a乃至112d)上に形成された第1乃至第4熱色性物質層(114a乃至114d)と、上記ウォールペーパー基板(110)上に上記第1乃至第4熱色性物質層(114a乃至114d)と上記第1乃至第4面状発熱体(112a乃至112d)が充分に覆わせるように形成された保護層(116)と、上記ウォールペーパー基板(110)上に形成され、上記第1乃至第4面状発熱体(112a乃至112d)に電源を供給し、温度を制御する電源供給及び制御手段(118)を含んで構成する。
【００６６】
上記第1乃至第4熱色性物質層(114a乃至114d)は、第1乃至第5実施例と同様に、液晶層、コレステリック液晶層、光硬化性高分子物質層、液晶高分子物質層の中、いずれの一つを用いるのが望ましい。また、上記熱色性物質層は液晶物質、コレステリック液晶物質、光硬化性高分子物質、液晶高分子物質の中、少なくとも一つ以上を含んで構成することもできる。
【００６７】
上記第1乃至第4面状発熱体(112a乃至112d)は上記電源供給及び制御手段(118)によって電源が供給され、温度が制御され、上記第1乃至第4熱色性物質層(114a乃至114d)は上記第1乃至第4面状発熱体(112a乃至112d)の温度によって色の変化が起きる。
【００６８】
図7A及び図7Bに示したように、例えば昼時間と夜時間帯に上記第1乃至第4面状発熱体(112a乃至112d)の温度を異るように制御すると、上記第1乃至第4熱色性物質層(114a乃至114d)の色を昼時間帯と夜時間帯にそれぞれ異なるように具現することができる。
【００６９】
同じく、上記第1乃至第4熱色性物質層(114a乃至114d)の代りに、液晶層、コレステリック液晶層、光硬化性高分子物質層、液晶高分子物質層の中、いずれの一つを使っても上記と同様な動作と效果を得ることができる。
【００７０】
以上の本発明は上記に記述された実施例等によって限定されず、当業者等によって多様な変形及び変更が可能であり、これは添付された特許請求範囲で正義される本発明の旨と範囲に含まれるものと見るべきである。
【図面の簡単な説明】
【００７１】
【図１Ａ】本発明の望ましい第1実施例に係わる熱色性物質層を備えたウォールペーパーの製造工程断面図
【図１Ｂ】本発明の望ましい第1実施例に係わる熱色性物質層を備えたウォールペーパーの製造工程断面図
【図１Ｃ】本発明の望ましい第1実施例に係わる熱色性物質層を備えたウォールペーパーの製造工程断面図
【図２】図2は本発明の望ましい第2実施例に係わる熱色性物質層を備えたウォールペーパーの平面図
【図３】図3は本発明の望ましい第3実施例に係わる熱色性物質層を備えたウォールペーパーの平面図
【図４】図4は本発明の望ましい第4実施例に係わる熱色性物質層を備えたウォールペーパーの平面図
【図５Ａ】本発明の望ましい第5実施例に係わる熱色性物質層を備えたウォールペーパーの製造工程断面図
【図５Ｂ】本発明の望ましい第5実施例に係わる熱色性物質層を備えたウォールペーパーの製造工程断面図
【図５Ｃ】本発明の望ましい第5実施例に係わる熱色性物質層を備えたウォールペーパーの製造工程断面図
【図５Ｄ】本発明の望ましい第5実施例に係わる熱色性物質層を備えたウォールペーパーの製造工程断面図
【図５Ｅ】本発明の望ましい第5実施例に係わる熱色性物質層を備えたウォールペーパーの製造工程断面図
【図６】図6は図5Eの平面図
【図７Ａ】本発明の第6実施例に係わる熱色性物質層を備えたウォールペーパーの第1及び第2動作状態をそれぞれ示した動作状態図。１１４ａの部分は「赤色」、１１４ｂ、１１４ｃ、１１４ｄの部分は「緑色」である。
【図７Ｂ】本発明の第6実施例に係わる熱色性物質層を備えたウォールペーパーの第1及び第2動作状態をそれぞれ示した動作状態図。１１４ａの部分は「オレンジ色」、１１４ｂ、１１４ｃ、１１４ｄの部分は「青色」である。
【符号の説明】
【００７２】
10、20、30、40：ウォールペーパー(Wall Paper)または壁紙
11、21、31、41：基板
12、22、32、42：熱色性物質層
13、23、33、43：保護層
24、34：インジケーター(Indicator)
25、35：第1インジケーター部
26、36：第2インジケーター部
27、37：第3インジケーター部
25a、26a、27a、35a、36a、37a：カラーインジケーター部
25b、26b、27b、35b、36b、37b：説明インジケーター部
43：形状部
100：ウォールペーパー
110:基板またはウォールペーパー基板
112：面状発熱体
112a：第1面状発熱体
112b：第2面状発熱体
112c：第3面状発熱体
112d：第4面状発熱体
114：熱色性物質層
114a：第1熱色性物質層
114b：第2熱色性物質層
114c：第3熱色性物質層
114d：第4熱色性物質層
116：保護層
118：電源供給及び制御手段
【図１Ａ】
2007277790.tif 000003
【図１Ｂ】
2007277790.tif 000004
【図１Ｃ】
2007277790.tif 000005
【図５Ａ】
2007277790.tif 000006
【図５Ｂ】
2007277790.tif 000007
【図５Ｃ】
2007277790.tif 000008
【図５Ｄ】
2007277790.tif 000009
【図５Ｅ】
2007277790.tif 000010
【図６】
2007277790.tif 000011
【図２】
2007277790.tif 000012
【図３】
2007277790.tif 000013
【図４】
2007277790.tif 000014
【図７Ａ】
2007277790.tif 000015
【図７Ｂ】
2007277790.tif 000016